(57)【要約】      （修正有）【課題】蓋が電槽に逆蓋状態で取り付けられることを防止することができる蓄電池を提供する。【解決手段】極板群が収容され、開口を有する平面視略矩形状の箱状の電槽と、この電槽の上面を覆い、電槽に対応した外形形状を有する平面視略矩形状の蓋１とを備え、蓋１には電槽の上縁部の四辺に嵌合可能な接着代３が設けられ、蓋１の接着代３が電槽の上縁部に嵌め込まれて接着剤で結合される蓄電池であって、接着代３は、互いに対向する一対の対向縁部３a、３bを含み、この一対の対向縁部３a、３bのうちの一方には、第１の凸部４aが、他方には第２の凸部４bが形成され、第１の凸部４aおよび第２の凸部４bは、蓋１の対角線の交点Ｐを中心として互いに非対称な位置に設けられているものを含み、電槽の上縁部の四辺のうちの対向する二辺の一方には、第１の凸部４aと嵌合可能な第１の凹部が、他方には、第２の凸部４bと嵌合可能な第２の凹部が設けられている。【選択図】図１
2016192254.tif 000002
【特許請求の範囲】
【請求項１】
内部に極板群が収容され、上面に開口を有する平面視略矩形状の箱状の電槽と、この電槽の上面を覆い、前記電槽に対応した外形形状を有する平面視略矩形状の蓋とを備え、前記蓋には前記電槽の上縁部の四辺に嵌合可能な接着代が設けられ、前記蓋の前記接着代が前記電槽の上縁部に嵌め込まれて接着剤で結合される蓄電池であって、
前記接着代は、互いに対向する一対の対向縁部を含み、この一対の対向縁部のうちの一方には、第１の凸部が形成され、他方には第２の凸部が形成され、前記第１の凸部および前記第２の凸部は、前記蓋の対角線の交点を中心として互いに非対称な位置に設けられているものを含み、
前記電槽の上縁部の四辺のうちの対向する二辺の一方には、前記第１の凸部と嵌合可能な第１の凹部が設けられており、他方には、前記第２の凸部と嵌合可能な第２の凹部が設けられており、
前記電槽に前記蓋を装着する際、
前記電槽に対する前記蓋の向きが正しい場合には、前記第１の凸部と前記第１の凹部とが嵌合し、かつ、前記第２の凸部と前記第２の凹部とが嵌合することで、前記蓋が前記電槽の上縁部に装着され、
逆蓋状態の場合は、前記第１の凸部と前記第２の凹部の位置が一致せず、かつ、前記第２の凸部と前記第１の凹部の位置が一致しないことで、前記蓋の接着代が前記電槽の上縁部に装着不能とされていることを特徴とする蓄電池。
【請求項２】
前記蓋の前記第１の凸部と前記第２の凸部、および、前記電槽の前記第１の凹部と前記第２の凹部は、それぞれ、平面視略矩形状の短辺側に形成されていることを特徴とする請求項１に記載の蓄電池。
【請求項３】
前記蓋の前記第１の凸部と前記第２の凸部は、前記接着代の高さ方向に突出して形成されていることを特徴とする請求項１または２に記載の蓄電池。
【請求項４】
内部に極板群が収容され、上面に開口を有する平面視略矩形状の箱状の電槽と、この電槽の上面を覆い、前記電槽に対応した外形形状を有する平面視略矩形状の蓋とを備え、前記電槽の上縁には前記蓋の下縁部の四辺に嵌合可能な接着代が設けられ、前記電槽の前記接着代が前記蓋の下縁部に嵌め込まれて接着剤で結合される蓄電池であって、
前記接着代は、互いに対向する一対の対向縁部を含み、この一対の対向縁部のうちの一方には、第１の凸部が形成され、他方には第２の凸部が形成され、前記第１の凸部および前記第２の凸部は、前記電槽の対角線の交点を中心として互いに非対称な位置に設けられているものを含み、
前記蓋の下縁部の四辺のうちの対向する二辺の一方には、前記第１の凸部と嵌合可能な第１の凹部が設けられており、他方には、前記第２の凸部と嵌合可能な第２の凹部が設けられており、
前記電槽に前記蓋を装着する際、
前記電槽に対する前記蓋の向きが正しい場合には、前記第１の凸部と前記第１の凹部とが嵌合し、かつ、前記第２の凸部と前記第２の凹部とが嵌合することで、前記蓋の下縁部が前記電槽の前記接着代に装着され、
逆蓋状態の場合は、前記第１の凸部と前記第２の凹部の位置が一致せず、かつ、前記第２の凸部と前記第１の凹部の位置が一致しないことで、前記蓋の下縁部が前記電槽の前記接着代に装着不能とされていることを特徴とする蓄電池。
【請求項５】
前記電槽の前記第１の凸部と前記第２の凸部、および、前記蓋の前記第１の凹部と前記第２の凹部は、それぞれ、平面視略矩形状の短辺側に形成されていることを特徴とする請求項４に記載の蓄電池。
【請求項６】
前記電槽の前記第１の凸部と前記第２の凸部は、前記接着代の高さ方向に突出して形成されていることを特徴とする請求項４または５に記載の蓄電池。
【発明の詳細な説明】
【技術分野】
【０００１】
本発明は、蓄電池に関する。
【背景技術】
【０００２】
従来、内部に極板群が収容され、上面に開口を有する箱状の電槽と、この電槽の上面を覆い、電槽に対応した外形形状を有する平面視略矩形状の蓋とを備え、蓋には電槽の上縁部の四辺に嵌合する接着代が設けられ、蓋の接着代が電槽の上縁部に嵌め込まれて接着剤で結合される蓄電池が知られている。
【０００３】
このような蓄電池の製造ラインでは、電槽に蓋を装着する工程において人為的な要因によって蓋が左右逆向き（あるいは前後逆向き）に電槽に取り付けられることがあった（以下、左右逆向き（あるいは前後逆向き）に蓋が取り付けられた状態を、「逆蓋状態」という）。蓋の取り付け作業を行った作業者はその蓄電池の蓋が逆蓋状態であることに気付かないことが多く、そのまま後工程に逆蓋状態の蓄電池が流れることがあった。逆蓋状態の蓄電池は、蓋の上面に付された「プラス」の印字と「マイナス」の印字が正常な蓄電池とは反転した状態となっている。つまり、正常な蓄電池の蓋において「プラス」の印字が付される位置に、逆蓋状態の蓄電池の蓋では「マイナス」の印字が付されている。また、正常な蓄電池の蓋において「マイナス」の印字が付される位置に、逆蓋状態の蓄電池の蓋では「プラス」の印字が付されている。逆蓋状態の印字に従って蓄電池の正負極の端子に接続した場合には逆接続となり蓄電池としての機能を果たすことができない。このような逆蓋状態の蓄電池は、後工程の出荷前検査にて蓄電池の異常が判明するが、異常の原因が逆蓋状態によるものと特定されるまで時間を要し、また、逆蓋状態の蓄電池は廃棄処分とされることから、蓄電池の製造ラインでは電槽への蓋の装着工程において逆蓋状態に取り付けられることを防止することが望まれていた。
【０００４】
ところで、特許文献１では、蓋の接着代に高さ方向に凹凸を設け、この凹凸に応じて電槽の端面の外周の溝部にも凹凸を設けることを提案している。特許文献１の蓄電池においては、蓋と電槽とを十分な強度で接合するために蓋及び電槽の溝部に凹凸を設けており、このよう蓄電池の構成は本発明に係る蓄電池の構成を開示ないし示唆するものではない。また、特許文献２では、電槽と蓋との接着部分が周方向の複数箇所で一方に設けられた位置決め用の凹部又は凸部と他方に設けられた位置決め用の凸部又は凹部とで噛み合わされる蓄電池を提案している。特許文献２の蓄電池においては、寸法精度のよい蓄電池を得るために蓋と電槽との接着部分に位置決め用の凹凸を設けており、このような蓄電池の構成は本発明に係る蓄電池の構成を開示ないし示唆するものではない。
【先行技術文献】
【特許文献】
【０００５】
【特許文献１】特許第４０１３７２６号公報
【特許文献２】実開平４−９８２６２号公報
【発明の概要】
【発明が解決しようとする課題】
【０００６】
本発明は、以上のとおりの事情に鑑みてなされたものであり、蓋が電槽に逆蓋状態で取り付けられることを防止することができる蓄電池を提供することを目的としている。
【課題を解決するための手段】
【０００７】
上記の課題を解決するために、本発明の蓄電池は、内部に極板群が収容され、上面に開口を有する平面視略矩形状の箱状の電槽と、この電槽の上面を覆い、前記電槽に対応した外形形状を有する平面視略矩形状の蓋とを備え、前記蓋には前記電槽の上縁部の四辺に嵌合可能な接着代が設けられ、前記蓋の前記接着代が前記電槽の上縁部に嵌め込まれて接着剤で結合される蓄電池であって、前記接着代は、互いに対向する一対の対向縁部を含み、この一対の対向縁部のうちの一方には、第１の凸部が形成され、他方には第２の凸部が形成され、前記第１の凸部および前記第２の凸部は、前記蓋の対角線の交点を中心として互いに非対称な位置に設けられているものを含み、前記電槽の上縁部の四辺のうちの対向する二辺の一方には、前記第１の凸部と嵌合可能な第１の凹部が設けられており、他方には、前記第２の凸部と嵌合可能な第２の凹部が設けられており、前記電槽に前記蓋を装着する際、前記電槽に対する前記蓋の向きが正しい場合には、前記第１の凸部と前記第１の凹部とが嵌合し、かつ、前記第２の凸部と前記第２の凹部とが嵌合することで、前記蓋が前記電槽の上縁部に装着され、逆蓋状態の場合は、前記第１の凸部と前記第２の凹部との位置が一致せず、かつ、前記第２の凸部と第１の凹部の位置が一致しないことで、前記蓋の接着代が前記電槽の上縁部に装着不能とされていることを特徴としている。
【０００８】
この蓄電池では、前記蓋の前記第１の凸部と前記第２の凸部、および、前記電槽の前記第１の凹部と前記第２の凹部は、それぞれ、平面視略矩形状の短辺側に形成されていることが好ましい。
【０００９】
この蓄電池では、前記蓋の前記第１の凸部と前記第２の凸部は、前記接着代の高さ方向に突出して形成されていることが好ましい。
【００１０】
本発明の蓄電池は、内部に極板群が収容され、上面に開口を有する平面視略矩形状の箱状の電槽と、この電槽の上面を覆い、前記電槽に対応した外形形状を有する平面視略矩形状の蓋とを備え、前記電槽の上縁には前記蓋の下縁部の四辺に嵌合可能な接着代が設けられ、前記電槽の前記接着代が前記蓋の下縁部に嵌め込まれて接着剤で結合される蓄電池であって、前記接着代は、互いに対向する一対の対向縁部を含み、この一対の対向縁部のうちの一方には、第１の凸部が形成され、他方には第２の凸部が形成され、前記第１の凸部および前記第２の凸部は、前記電槽の対角線の交点を中心として互いに非対称な位置に設けられているものを含み、前記蓋の下縁部の四辺のうちの対向する二辺の一方には、前記第１の凸部と嵌合可能な第１の凹部が設けられており、他方には、前記第２の凸部と嵌合可能な第２の凹部が設けられており、前記電槽に前記蓋を装着する際、前記電槽に対する前記蓋の向きが正しい場合には、前記第１の凸部と前記第１の凹部とが嵌合し、かつ、前記第２の凸部と前記第２の凹部とが嵌合することで、前記蓋の下縁部が前記電槽の前記接着代に装着され、逆蓋状態の場合は、前記第１の凸部と前記第２の凹部の位置が一致せず、かつ、前記第２の凸部と第１の凹部の位置が一致しないことで、前記蓋の下縁部が前記電槽の前記接着代に装着不能とされていることを特徴としている。
【００１１】
この蓄電池では、前記電槽の前記第１の凸部と前記第２の凸部、および、前記蓋の前記第１の凹部と前記第２の凹部は、それぞれ、平面視略矩形状の短辺側に形成されていることが好ましい。
【００１２】
この蓄電池では、前記電槽の前記第１の凸部と前記第２の凸部は、前記接着代の高さ方向に突出して形成されていることを特徴とする請求項４または５に記載の蓄電池。
【発明の効果】
【００１３】
本発明によれば、蓋が電槽に逆蓋状態で取り付けられることを防止することができる。
【図面の簡単な説明】
【００１４】
【図１】（ａ）本発明の実施形態に係る鉛蓄電池の蓋の平面図である。（ｂ）は、（ａ）の図のＡ−Ａ線矢視図である。（ｃ）は、（ａ）の図のＢ−Ｂ線矢視図である。
【図２】（ａ）本発明の実施形態に係る鉛蓄電池の電槽の平面図である。（ｂ）は、（ａ）の図のＣ−Ｃ線矢視図である。（ｃ）は、（ａ）の図のＤ−Ｄ線矢視図である。（ｄ）は、（ａ）の図のＥ−Ｅ線矢視図である。
【発明を実施するための形態】
【００１５】
以下、本発明の蓄電池の第１実施形態について説明する。
【００１６】
この実施形態の蓄電池は、図１に示される蓋１と、図２に示される電槽１０とを備える。電槽１０は、上面に開口を有する箱状に形成されており、その内部には極板群が収容される。極板群は、一側に耳部が形成されている正及び負の極板とセパレータとストラップとを有し、正及び負の極板がセパレータを挟んで交互に積層され同一極性の各極板の耳部が一体に接続されて成るストラップとで構成される。蓋１は、電槽１０の上面を覆い、電槽１０に対応した外形形状を有しており、平面視略矩形状に形成されている。蓋１には、電槽１０の上縁部の四辺に嵌合する接着代３が設けられている。蓋１の接着代３が電槽１０の上縁部に嵌め込まれて接着剤で結合される。以下、詳細に説明する。
【００１７】
蓋１は、平面視略矩形状の上面部２と、上面部２の下側に下方（図１（ａ）の紙面貫通方向）に延びる接着代３とを有して構成されている。接着代３の外形は上面部２の形状に対応している。具体的には、接着代３は、短辺３Ａ側において互いに対向して配置されている一対の対向縁部３a、３bと、長辺３Ｂ側において互いに対向して配置されている一対の対向縁部（図示していない）を有しており、対向縁部３a、３bには凸部４が設けられている。
【００１８】
具体的には、蓋１の接着代３は、短辺３Ａ側に位置する一対の対向縁部３a、３bのうちの一方の対向縁部３aには、第１の凸部４aが形成され、他方の対向縁部３bには第２の凸部４bが形成されている。第１の凸部４aおよび第２の凸部４bは、対向縁部３a、３bの下面から下方に向かって突出する半円形状に形成されている。
【００１９】
第１の凸部４aおよび第２の凸部４bを接着代３の下側に突出して形成するようにすることで、後述するように、蓋１及びこの蓋１の第１の凸部４aおよび第２の凸部４bに対応する第１の凹部、第２の凹部を有した電槽１０をより簡単な構造とすることができる。蓋１の第１の凸部および第２の凸部を半円形状にすることで、蓋１と電槽１０との位置合わせが簡単になるだけでなく、蓋１の製造がより容易となる。
【００２０】
蓋１の第１の凸部４ａと第２の凸部４ｂはそれぞれ、各対向縁部３ａ、３ｂに、平面視略矩形状の蓋１の対角線の交点Ｐを中心として互いに非対称な位置に設けられている。図１を参照して説明すると、図１（b）（c）に示しているように、蓋１の対角線の交点Ｐを通過して長辺方向に延びる仮想直線Ｌに対して、第１の凸部４ａ及び第２の凸部４ｂはともに、図中の上側（図１（a）において＋と示されている側）に位置している。すなわち、第１の凸部４ａ及び第２の凸部４ｂは互いに蓋１の対角線の交点Ｐを中心として点対称な位置ではなく、非対称な位置に設けられている。より詳しく説明すると、図１（ａ）の紙面の左側に配置されている蓋１の接着代３の対向縁部３ａを蓋１の対角線の交点Ｐを中心に蓋１を１８０°回転させて紙面の右側に配置させた際、その接着代３の対向縁部３ａに形成されている第１の凸部４ａの位置が、蓋１の回転前の図１（ａ）の紙面の右側に配置されている蓋１の接着代３の対向縁部３ｂに形成されている第２の凸部４ｂの位置と一致しないように、第１の凸部４ａ及び第２の凸部４ｂが設けられている。
【００２１】
電槽１０は、平面視略矩形状の底面部１１と、底面部１１の四辺１１a、１１b、１１c、１１dに立設される側壁部１２とを有して構成されている。電槽１０の側壁部１２の上端部（電槽１０の上縁部）の各辺１１a、１１b、１１c、１１dには、蓋１の接着代３が嵌め込まれる溝部１３が蓋１の接着代３に対応して各辺１１a、１１b、１１c、１１d全長に亘って設けられている。蓋１を装着する前の電槽１０の溝部１３には接着剤を充填することができる。電槽１０の溝部１３に嵌め込まれた蓋１の接着代３は、溝部１３に充填された接着剤で結合されて、蓋１が電槽１０に装着される。
【００２２】
電槽１０の側壁部１２の上端部（電槽１０の上縁部）の四辺１１a、１１b、１１c、１１dのうち、対向する短辺側の二辺１１a、１１bの一方の辺１１aには、蓋１の接着代３の第１の凸部４ａと嵌合可能な第１の凹部１４aが設けられており、他方の辺１１bには、蓋１の接着代３の第２の凸部４ｂと嵌合可能な第２の凹部１４bが設けられている。
【００２３】
具体的には、電槽１０の短辺側の対向する各側壁部１２の溝部１３には、電槽１０に対して正しい向きで蓋１を配置した場合における蓋１の第１の凸部４aに対応する位置に、第１の凸部４の外形形状に略一致する半円形状の第１の凹部１４aが深さ方向に窪んで形成されている。同様に、蓋１の第２の凸部４bに対応する位置に、第２の凸部４ｂの外形形状に略一致する半円形状の第２の凹部１４bが深さ方向に窪んで形成されている。
【００２４】
電槽１０に蓋１を装着する際、蓋１の向きが正しい場合は、電槽１０の側壁部１２の上端部（電槽１０の上縁部）の第１の凹部１４aに蓋１の第１の凸部４aが嵌合し、第２の凹部１４bに蓋１の第２の凸部４bが嵌合するため、蓋１の接着代３を電槽１０の溝部１３に完全に嵌め込むことができる。電槽１０の溝部１３に嵌め込まれた蓋１の接着代３は、溝部１３に充填された接着剤で結合されて、蓋１が電槽１０に装着される。
【００２５】
一方、この実施形態において、誤って逆蓋状態（図１における左右逆向き）で蓋を取り付けようとする場合、第１の凸部４aと第２の凹部１４bとが対峙し、第２の凸部４bと第１の凹部１４aとが対峙するが、第１の凸部４aおよび第２の凸部４bは、蓋１の対角線の交点Ｐを中心として互いに非対称な位置に設けられているため、逆蓋状態では第１の凸部４aと第２の凹部１４bは互いの位置が一致せず、第２の凸部１４bと第１の凹部４aも互いの位置が一致しない。このため、逆蓋状態の場合、蓋の接着代３を電槽１０の上縁部に装着することはできない。すなわち、逆蓋状態の場合、電槽１０の溝部１３には、蓋１の第１の凸部４aに対応する位置に第２の凹部１４aが形成されておらず、第２の凸部４bに対応する位置に第１の凹部１４aが形成されていないため、蓋１の取り付け作業を行う作業者が蓋１を電槽１０に装着しようとしても電槽１０の凹部非形成部分の溝部１３に蓋１の第１の凸部４a、第２の凸部４bが当接して電槽１０の溝部１３に蓋１の接着代３を嵌め込むことができず、作業者は蓋１を電槽１０に逆蓋状態で装着しようとしていることに気付く。このように作業者自身が蓋１を電槽１０に逆蓋状態で装着しようとしていることに気付くため、電槽１０に蓋１が逆蓋状態で取り付けられることを防止することができる。
【００２６】
この実施形態では、蓋１の第１の凸部４aと第２の凹部４bが互いに対向する対向縁部３a、３bのそれぞれに形成されているので、蓋１を電槽１０に逆蓋状態で装着しようとした際にはその対向する接着代３の対向縁部３a、３bを電槽１０の溝部１３に嵌め込むことができず、蓋１を電槽１０に逆蓋状態で装着しようとしていることに作業者が気付きやすくなっている。仮に蓋１を電槽１０に逆蓋状態で装着したとしても対向する接着代３の対向縁部３a、３bのそれぞれが電槽１０の溝部１３に完全に嵌め込まれていないので、電槽１０から蓋１を取り外しやすいという利点を有する。
【００２７】
また、蓋１を電槽１０に正しい向きに装着した際には、第１の凸部４aと第１の凹部１４a、および、第２の凸部４bと第２の凹部１４bが、それぞれ位置ずれなく凹凸嵌合するため、蓋１の接着代３を電槽１０の溝部１３に嵌め込むことができ、結果として、蓋１のガタツキを抑制して電槽１０に蓋１を取り付けることができる。さらにまた、蓋１と電槽１０とのクリアランスが一定に保たれ、接着剤が接着代３に均一に塗布され接着剤のバランスが良くなると共に、凹凸嵌合による接着代３の接着面積の増大に伴い蓋１と電槽１０との結合強度が向上するという効果も有する。
【００２８】
この実施形態では、蓋１の第１の凸部４aと第２の凸部４b、および、これに対応する電槽１０の第１の凹部１４a、第２の凹部１４bはそれぞれ、蓋１の短辺３Ａ側および電槽１０の短辺１１a、１１b側に形成されている。蓋１の成形過程において、金型から製品を抜き取る際に長辺３Ａ側は金型への接触面積が大きく短辺側に比べて抜き取りにくいが、短辺３Ｂ側に第１の凸部４a、第２の凸部４bを形成することで金型への接触面積が増大するため短辺側と長辺側との間で金型への接触面積の差が少なくなって、抜き取りやすくなるという効果を有する。
【００２９】
上述したような逆蓋状態の防止効果、蓋１のガタツキ抑制効果、及び蓋１と電槽１０との結合強度の向上効果等の効果をさらに向上させるために、蓋１の各接着代３に複数の凸部４（第１の凸部４a、第２の凸部４b）を設けることができる。この場合、電槽１０の凹部１４（第１の凹部１４a、第２の凹部１４b）についても蓋１の凸部４（第１の凸部４a、第２の凸部４b）に対応して複数設けることが考慮される。
【００３０】
なお、蓋１の接着代３の複数ある全ての凸部４（第１の凸部４a、第２の凸部４b）が、平面視略矩形状の蓋１の対角線の交点Ｐを中心として互いに非対称な位置に設けられている必要はなく、例えば、非対称な位置に設けられた第１の凸部４aと第２の凸部４bとを含んでいればよい。蓋１の凸部４（第１の凸部４a、第２の凸部４b）のうち少なくとも一組が、平面視略矩形状の蓋１の対角線の交点Ｐを中心として互いに非対称な位置に設けられていれば、所期の効果を達成することができる。本実施形態では、蓋１の短辺側の各接着代３の下側部分に、凸部４（第１の凸部４a）とは別の凸部５を二つ設けている。これら二つの凸部５は、平面視略矩形状の蓋１の対角線の交点Ｐを中心として互いに対称な位置に設けられている。電槽１の短辺側の溝部１３にも、凹部１４（第１の凹部１４a、第２の凹部１４b）とは別の凹部１５を二つ設けている。
【００３１】
次に、本発明の蓄電池の第２実施形態について説明する。第１実施形態と共通する部分についての説明は省略する。
【００３２】
この実施形態の蓄電池は、第１実施形態とは逆に、電槽の上縁に接着代が設けられており、蓋の下縁部の四辺に嵌合可能とされており、電槽の接着代が蓋の下縁部に嵌め込まれて接着剤で結合される。
【００３３】
電槽の接着代は、短辺側に位置する一対の対向縁部のうちの一方に第１の凸部が形成され、他方には第２の凸部が形成されている。第１の凸部および第２の凸部は、電槽の対角線の交点を中心として互いに非対称な位置に設けられている。また、この実施形態においても、電槽の第１の凸部と第２の凸部は、接着代の高さ方向に突出して形成されていることが好ましい。
【００３４】
蓋の下縁部の四辺のうちの対向する二辺の一方には、電槽の接着代の第１の凸部と嵌合可能な第１の凹部が設けられており、他方には、電槽の接着代の第２の凸部と嵌合可能な第２の凹部が設けられている。
【００３５】
この実施形態においても、電槽の第１の凸部と第２の凸部、および、蓋の第１の凹部と第２の凹部は、それぞれ、平面視略矩形状の短辺側に形成されていることが好ましい。
【００３６】
したがって、この実施形態においても、電槽に対する蓋の向きが正しい場合には、第１の凸部と第１の凹部とが嵌合し、かつ、第２の凸部と第２の凹部とが嵌合することで、蓋の下縁部が電槽の接着代に装着される。
【００３７】
一方、逆蓋状態の場合は、第１の凸部と第２の凹部とが対峙して互いの位置が一致せず、第２の凸部と第１の凹部とが対峙して互いの位置が一致しないため、蓋の下縁部が電槽の接着代に装着不能とされている。したがって、蓋を電槽に逆蓋状態で装着しようとした際には、電槽の接着代の対向縁部を蓋の下縁部に嵌め込むことができないため、蓋が電槽に逆蓋状態で取り付けられることを防止することができる。
【００３８】
以上、実施形態に基づき本発明を説明したが、本発明は上記の実施形態に何ら限定されるものではなく、その要旨を逸脱しない範囲内において各種の変更が可能である。例えば、蓋の凸部及び電槽の凹部の形状は矩形形状とすることができる。これによって、凹凸嵌合による接着代の接着面積をより増大させ、蓋と電槽との結合強度をより向上させることができる。蓋の凸部を短辺側だけでなく長辺側にも設けてもよいし、長辺側だけに設けることもできる。また、蓋の接着代の側面側に凸部を設けることもできる。このような蓋の凸部の配置は蓄電池の形状に応じて適宜設定することができる。
【符号の説明】
【００３９】
１    蓋
３    接着代
４a    第１の凸部
４b    第２の凸部
１０  電槽
１４a  第１の凹部
１４b  第２の凹部
Ｐ    交点
【図１】
2016192254.tif 000003
【図２】
2016192254.tif 000004